(57)【特許請求の範囲】
【請求項１】
エレベータの昇降体に連結されるロープを巻き上げ可能な巻上機と、前記ロープが巻き掛けられるソラセシーブと、気密性を有し前記巻上機と前記ソラセシーブとを内包して内部と外部とを遮断し密閉する養生体とを備え、前記養生体は、開閉可能な開閉部を有し、前記巻上機の鉛直方向下側に設けられ前記開閉部としてハッチが設けられた養生床と、前記養生床に設けられ前記巻上機及び前記ソラセシーブを覆う養生シートとを含んで構成されることを特徴とする、巻上機組立体。
【請求項２】
前記巻上機を支持するマシンビームと、前記マシンビームに取り付けられ、当該マシンビームとの間に前記養生体の一部を挟み込む据付部材とを備える、請求項１に記載の巻上機組立体。
【請求項３】
前記養生体の内部に設けられる吸湿剤を備える、請求項１又は請求項２に記載の巻上機組立体。
【請求項４】
前記養生床は、複数に分割可能である、請求項１乃至請求項３のいずれか１項に記載の巻上機組立体。
【請求項５】
前記養生体の内部に設けられ当該内部の温度を調節する温度調節装置を備える、請求項１乃至請求項４のいずれか１項に記載の巻上機組立体。
【請求項６】
前記昇降体が昇降可能な昇降路の上部に設けられる、請求項１乃至請求項５のいずれか１項に記載の巻上機組立体。
【請求項７】
エレベータの昇降体に連結されるロープを巻き上げ可能な巻上機と、前記ロープが巻き掛けられるソラセシーブとを、気密性を有し、開閉可能な開閉部を有し、前記巻上機の鉛直方向下側に設けられ前記開閉部としてハッチが設けられた養生床と、前記養生床に設けられ前記巻上機及び前記ソラセシーブを覆う養生シートとを含んで構成される養生体で内包する工程と、前記巻上機を支持するマシンビームと、前記マシンビームに取り付けられる据付部材との間に前記養生体の一部を挟み込んで当該養生体の内部と外部とを遮断し密閉する工程とを含むことを特徴とする、巻上機組立体製造方法。
【請求項８】
エレベータの昇降体に連結されるロープを巻き上げ可能な巻上機と、前記ロープが巻き掛けられるソラセシーブとを、気密性を有し、開閉可能な開閉部を有し、前記巻上機の鉛直方向下側に設けられ前記開閉部としてハッチが設けられた養生床と、前記養生床に設けられ前記巻上機及び前記ソラセシーブを覆う養生シートとを含んで構成される養生体で内包して当該養生体の内部と外部とを遮断し密閉することを特徴とする、巻上機養生方法。
【請求項９】
エレベータの昇降体に連結されるロープを巻き上げ可能な巻上機と、前記ロープが巻き掛けられるソラセシーブとを、気密性を有し、開閉可能な開閉部を有し、前記巻上機の鉛直方向下側に設けられ前記開閉部としてハッチが設けられた養生床と、前記養生床に設けられ前記巻上機及び前記ソラセシーブを覆う養生シートとを含んで構成される養生体で内包して当該養生体の内部と外部とを遮断して密閉して巻上機組立体とする養生工程と、前記昇降体が昇降可能な昇降路の上部の機械室まで前記巻上機組立体を揚重する揚重工程と、前記機械室内の据付位置に前記巻上機組立体を据え付ける据付工程と、前記養生体を取り外す取外工程とを含むことを特徴とする、巻上機据付方法。
【発明の詳細な説明】
【技術分野】
【０００１】
本発明の実施形態は、巻上機組立体とその製造方法、巻上機養生方法及び巻上機据付方法に関する。
【背景技術】
【０００２】
従来、エレベータは、昇降路内を乗りかごが移動することにより、乗りかごを任意の階床に移動させるが、このようなエレベータの据付時には、例えば、乗りかごを昇降させる巻上機が未完成の機械室に据え付けられた後、高所で長期間露天にさらされる場合がある。このため、巻上機に対して種々の処置が施されることがある。
【先行技術文献】
【特許文献】
【０００３】
【特許文献１】特開２００５−２３１７８４号公報
【発明の概要】
【発明が解決しようとする課題】
【０００４】
ところで、従来技術においては、例えば、長期間に渡る巻上機の保護の点でさらなる改善の余地がある。
【課題を解決するための手段】
【０００５】
実施形態の巻上機組立体は、巻上機と、ソラセシーブと、養生体とを備える。巻上機は、エレベータの昇降体に連結されるロープを巻き上げ可能である。ソラセシーブは、前記ロープが巻き掛けられる。養生体は、気密性を有し前記巻上機と前記ソラセシーブとを内包して内部と外部とを遮断し密閉する。前記養生体は、開閉可能な開閉部を有し、前記巻上機の鉛直方向下側に設けられ前記開閉部としてハッチが設けられた養生床と、前記養生床に設けられ前記巻上機及び前記ソラセシーブを覆う養生シートとを含んで構成される。
【図面の簡単な説明】
【０００６】
【図１】図１は、実施形態１に係るエレベータの概略構成例を示すブロック図である。
【図２】図２は、実施形態１に係る巻上機の設置例を示す模式図である。
【図３】図３は、実施形態１に係る巻上機組立体を示す模式図である。
【図４】図４は、実施形態１に係る巻上機組立体の養生シートの斜視図である。
【図５】図５は、実施形態１に係る巻上機組立体のマシンビーム近傍の分解部分斜視図である。
【図６】図６は、実施形態１に係る巻上機据付方法を説明するフローチャートである。
【図７】図７は、実施形態２に係る巻上機組立体を示す模式図である。
【図８】図８は、実施形態２に係る巻上機組立体のマシンビーム近傍の分解部分斜視図である。
【図９】図９は、実施形態３に係る巻上機組立体を示す模式図である。
【図１０】図１０は、実施形態３に係る養生体の取り外し後の巻上機を示す模式図である。
【図１１】図１１は、実施形態４に係る巻上機組立体を示す模式図である。
【図１２】図１２は、実施形態５に係る巻上機組立体を示す模式図である。
【発明を実施するための形態】
【０００７】
［実施形態１］
図１は、実施形態１に係るエレベータの概略構成例を示すブロック図、図２は、実施形態１に係る巻上機の設置例を示す模式図、図３は、実施形態１に係る巻上機組立体を示す模式図、図４は、実施形態１に係る巻上機組立体の養生シートの斜視図、図５は、実施形態１に係る巻上機組立体のマシンビーム近傍の分解部分斜視図、図６は、実施形態１に係る巻上機据付方法を説明するフローチャートである。
【０００８】
本実施形態に係るエレベータ１は、図１に示すように、昇降路２を昇降可能な乗りかご３とつり合おもりとしてのカウンタウェイト４とをメインロープ５で連結したいわゆるつるべ式のエレベータである。エレベータ１は、昇降路２と、昇降体としての乗りかご３及びカウンタウェイト４と、メインロープ５と、昇降駆動部６と、乗り場７と、エレベータ制御装置としてのエレベータ制御盤（以下、特に断りのない限り単に「制御盤」という。）８とを備える。エレベータ１は、制御盤８によって各部の駆動が制御されて乗りかご３が昇降路２内を昇降することで、任意の目的階の乗り場７に移動することができるものである。
【０００９】
昇降路２は、建物の鉛直方向に沿って設けられる。昇降路２は、建物内の複数の階床に渡って設けられる。昇降駆動部６や制御盤８等は、例えば、昇降路２の上部の機械室９等に設けられている。乗りかご３は、利用者が乗ったり荷物を乗せたりするための構造物である。乗りかご３は、昇降路２内に配置され、昇降路２を昇降可能である。カウンタウェイト４は、メインロープ５を介して乗りかご３に連結されて昇降路２内に配置され、乗りかご３と連動して昇降路２を昇降可能なつり合いおもりである。メインロープ５は、乗りかご３とカウンタウェイト４とを連結するものである。ここでは、メインロープ５は、昇降路２の上部に設けられた昇降駆動部６の巻上機１０のメインシーブ１１やソラセシーブ１２等に掛けられて、一端に乗りかご３が接続され、他端にカウンタウェイト４が接続される。つまり、カウンタウェイト４は、メインロープ５を介して乗りかご３に連結され乗りかご３と連動してこの乗りかご３とは反対方向に昇降可能である。昇降駆動部６は、例えば、乗りかご３を移動させる動力を発生させる電動機（モータ）１３等が駆動することで、この電動機１３に連結されたメインシーブ１１が回転駆動し、メインシーブ１１とメインロープ５との間に生じる摩擦力を利用してメインロープ５を電動で巻き上げる巻上機１０などにより構成され、制御盤８によりその駆動が制御される。乗り場７は、乗りかご３が着床可能な各エレベータ停止階床に設けられ、利用者が乗りかご３に対して乗降したり、荷物を乗りかご３に対して積み下ろしたりするための場所である。
【００１０】
制御盤８は、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、予め用意されたマップデータ、エレベータ１の仕様等の情報を記憶するバックアップＲＡＭ及び入出力ポート装置を有するマイクロコンピュータ及び駆動回路を備えている。
【００１１】
制御盤８は、種々のセンサ、検出器や巻上機１０の電動機１３等のエレベータ１の各部と電気的に接続され、各部の動作を統括的に制御する。制御盤８は、例えば、かご操作盤１４、乗り場操作盤１５への利用者からの操作入力に応じて、巻上機１０の駆動を制御し、乗りかご３を呼び登録に応じた指定の目的階に移動させる。
【００１２】
上記のように構成されるエレベータ１は、利用者によりかご操作盤１４、乗り場操作盤１５等を介してかご呼び操作が行われた場合に、かご操作盤１４、乗り場操作盤１５から制御盤８に呼び登録信号が入力され、制御盤８がこの呼び登録信号に応じて乗りかご３の呼び登録を行う。そして、制御盤８は、この呼び登録、種々のセンサ、検出器からの出力、乗りかご３の現在の移動方向（昇降方向）等に基づいて、乗りかご３が合理的に移動しながらそれぞれの呼びに応答するように乗りかご３の着床順序を定め、昇降駆動部６の巻上機１０を駆動制御し、乗りかご３を目的の階床へと移動させる。これにより、エレベータ１は、乗りかご３が昇降路２内を鉛直方向上下に昇降移動し、任意の目的階の乗り場７に移動する。そして、エレベータ１は、乗りかご３が目的階の乗り場７に着床し、所定の着床位置に着床したことが検出されると、その後、制御盤８が乗りかご３の扉を開放する。これにより、乗り場７で待機している利用者は、乗りかご３内に乗り込むことが可能となり、また、乗りかご３内の利用者は乗り場７に降りることが可能となる。
【００１３】
ここで、巻上機１０は、メインシーブ１１、電動機１３等に加えて、各部の回転部材（回転軸）を回転可能に支持する軸受け（ベアリング）や回転部材の回転を制動可能な制動装置等を含んで構成される。そして、巻上機１０は、典型的には、図２に示すように、昇降路２の上部など、比較的に高所の機械室９に設置される。巻上機１０は、機械室９内においてマシンベット１６、複数のマシンビーム１７、１８、据付部材としての防振装置１９、２１等を介して、機械室９内の床に設けられた基礎部２０上に据え付けられる。
【００１４】
マシンベット１６は、巻上機１０を載置し、この巻上機１０が据え付けられるものである。マシンビーム１７、１８は、マシンベット１６等を介して巻上機１０を支持する梁状の構造部材である。マシンビーム１８は、鉛直方向上側にマシンビーム１７を支持し、マシンビーム１７は、防振装置２１を介して鉛直方向上側にマシンベット１６を支持する。ここでは、マシンビーム１７、１８は、２段で組み上げられているが、１段でもよいし、３段以上であってもよい。防振装置１９は、マシンビーム１８と基礎部２０との間に介在し、防振装置２１は、マシンベット１６とマシンビーム１７との間に介在する。防振装置１９、２１は、それぞれ振動の発生、伝達を抑制する装置である。メインロープ５は、電動機１３（図１参照）に連結されたメインシーブ１１（図１参照）に巻き掛けられ、一方の端部側が昇降路２内に引き落とされ、他方の端部側がマシンビーム１７の側部に設けられたソラセシーブ１２を通して昇降路２内に引き落とされている。
【００１５】
そして、本実施形態では、図３に示すように、巻上機１０を保管する際に、巻上機１０をソラセシーブ１２等と共に養生体２３で内包して巻上機組立体２２とすることで、巻上機１０の長期保管を可能としている。
【００１６】
具体的には、巻上機組立体２２は、図３に示すように、巻上機１０（メインシーブ１１等も含む。）と、ソラセシーブ１２と、養生体２３とを備える。さらにここでは、巻上機組立体２２は、巻上機１０、ソラセシーブ１２、養生体２３と共に、マシンベット１６、マシンビーム１７、１８、防振装置１９、２１等を含んで構成される。
【００１７】
巻上機組立体２２は、これら巻上機１０、ソラセシーブ１２、マシンベット１６、マシンビーム１７、１８、防振装置２１が、気密性を有する養生体２３内に一式内包される。
【００１８】
養生体２３は、気密性を有し巻上機１０、ソラセシーブ１２、マシンベット１６、マシンビーム１７、１８、防振装置２１を内包して内部と外部とを遮断し密閉するものである。
【００１９】
本実施形態の養生体２３は、養生シート２４を含んで構成される。養生シート２４は、気密性を有する袋状の防水シート等によって構成される。養生シート２４は、巻上機１０を含め、組み上げられた巻上機１０、ソラセシーブ１２、マシンベット１６、マシンビーム１７、１８、防振装置２１の全体の鉛直方向上側、鉛直方向下側、及び、側面をまとめて覆う形状、大きさに形成される。
【００２０】
養生体２３は、図４に示すように、開閉可能な開閉部２５を有する。本実施形態の養生体２３は、養生シート２４に開閉部２５として気密ファスナ２６が設けられる。気密ファスナ２６は、養生シート２４の３面にわたって形成されている。気密ファスナ２６は、養生シート２４の鉛直方向上面、鉛直方向上面と隣接する２つの側面に渡って連続して形成される。養生シート２４は、作業員等によって気密ファスナ２６が開閉されることで、この気密ファスナ２６にて左右に開閉可能である。
【００２１】
養生体２３は、一部がマシンビーム１８に取り付けられる据付部材としての防振装置１９と、マシンビーム１８との間に挟み込まれる。ここでは、養生シート２４は、図５に示すように、複数の孔２７が形成されている。複数の孔２７は、マシンビーム１８、防振装置１９にそれぞれ形成される孔２８、２９と対応する位置、数で形成される。
【００２２】
巻上機組立体２２は、養生シート２４の一部がマシンビーム１８と防振装置１９とに挟み込まれた状態で、ボルトが孔２７、２８、２９に挿入されナットと螺合することで、マシンビーム１８と防振装置１９とが締結される。
【００２３】
また、巻上機組立体２２は、養生体２３の内部に設けられる吸湿剤３０（図３参照）を備える。吸湿剤３０は、例えば、シリカゲル等の種々の吸湿剤によって構成される。
【００２４】
上記のように構成される巻上機組立体２２は、例えば、巻上機１０の長期不動期間対策として、巻上機１０、ソラセシーブ１２、マシンベット１６、マシンビーム１７、１８、防振装置２１がユニット化された状態で、これらが養生体２３内に一式内包され外気と遮断され密閉され養生される。本実施形態の巻上機組立体２２は、養生体２３をなす養生シート２４の一部が防振装置１９とマシンビーム１８との間に挟み込まれて組み立てられることで、確実に養生体２３内部の密閉性を確保することができる。
【００２５】
この結果、巻上機組立体２２は、例えば、エレベータ１の据付時等に、巻上機１０が未完成の機械室９に据え付けられた後、高所で長期間露天にさらされるような場合であっても、長期間に渡って巻上機１０を保護することができ、巻上機１０の性能劣化を抑制することができる。すなわち、巻上機組立体２２は、巻上機１０が高所で長期間露天にさらされるような場合に、降雨等による鉛直方向上側からの被水だけでなく、例えば、鉛直方向下側からの雨の吹き上げによる被水に対しても、養生体２３が内部と外部とを確実に遮断し巻上機１０等を内包している内部空間の密閉性を保持することができる。
【００２６】
これにより、巻上機組立体２２は、長期間に渡って動かさずに置いておいても、外部環境が巻上機１０等を内包している内部空間に与える影響を抑制することができる。よって、巻上機組立体２２は、例えば、巻上機１０内部の軸受け（ベアリング）等への水分の付着による錆や電動機１３の巻き線部への水分の付着による絶縁不良、水分を含んだ外気にこれらが長期間に渡って直接さらされることによる性能劣化等が発生することを抑制することができる。またさらに、巻上機組立体２２は、巻上機１０等の各部への粉塵の付着等も抑制することができる。したがって、巻上機組立体２２は、例えば、軸受けの異常振動や巻き線部の絶縁不良等の不具合を確実に抑制して、巻上機１０の引渡し品質を適正に確保することができる。
【００２７】
また、巻上機組立体２２は、養生体２３の内部に吸湿剤３０が設けられることから、養生シート２４の内部の湿度を抑制することができ、例えば、高所設置による多湿状態から巻上機１０を保護することができ、巻上機１０等の各部に錆、絶縁不良、性能劣化等が発生することを確実に抑制することができる。
【００２８】
なお、吸湿剤３０は、一定期間経つと交換の必要性が生じる。これに対して、本実施形態の巻上機組立体２２は、養生シート２４に開閉部２５として気密ファスナ２６が設けられることから、この気密ファスナ２６を介して作業員が内部にアクセス可能とすることができる。この結果、巻上機組立体２２は、吸湿剤３０の交換時等の作業性を向上することができる。
【００２９】
次に、図６のフローチャートを参照して、巻上機据付方法を説明する。この巻上機据付方法は、巻上機組立体２２を製造する巻上機組立体製造方法、及び、巻上機１０を養生する巻上機養生方法を含むものである。
【００３０】
まず、作業員は、組立工程として、工場等の作業場にて、複数のマシンビーム１７、１８を組み上げて締結し、マシンビーム１７上に防振装置２１を介してマシンベット１６を締結した後、マシンベット１６上に巻上機１０を据え付ける（ＳＴ１）。
【００３１】
次に、作業員は、内包工程として、工場等の作業場にて、巻上機１０、ソラセシーブ１２、マシンベット１６、マシンビーム１７、１８、防振装置２１を、気密性を有する養生体２３の養生シート２４で内包する（ＳＴ２）。
【００３２】
次に、作業員は、密閉工程として、マシンビーム１８と、マシンビーム１８に取り付けられる防振装置１９との間に養生体２３をなす養生シート２４の一部を挟み込んでマシンビーム１８と防振装置１９とを締結し、養生体２３の内部と外部とを遮断し密閉する（ＳＴ３）。
【００３３】
上記で説明した内包工程（ＳＴ２）、密閉工程（ＳＴ３）は、巻上機１０等を養生体２３で内包し密閉して巻上機組立体２２とする養生工程、巻上機養生方法、巻上機組立体製造方法に相当する。
【００３４】
次に、作業員は、搬入工程として、巻上機１０、ソラセシーブ１２、マシンベット１６、マシンビーム１７、１８、防振装置１９、２１、養生体２３等を含んで構成される巻上機組立体２２を一体のままで、工場からエレベータ１を据え付ける建物に搬入する（ＳＴ４）。
【００３５】
次に、作業員は、揚重工程として、エレベータ１を据え付ける建物において、タワークレーン等の揚重装置を用いて昇降路２の上部の機械室９まで巻上機組立体２２を揚重する（ＳＴ５）。
【００３６】
次に、作業員は、据付工程として、機械室９内の据付位置、ここでは、機械室９内の基礎部２０上に巻上機組立体２２を据え付ける（ＳＴ６）。作業員は、この据付工程では、ボルト等を介して防振装置１９を基礎部２０に締結することで、巻上機組立体２２全体を一体で基礎部２０上に据え付ける。
【００３７】
この時点では、機械室９の壁面や天井等が未完成である場合があるが、巻上機組立体２２は、上記のように、巻上機１０、ソラセシーブ１２、マシンベット１６、マシンビーム１７、１８、防振装置２１がユニット化された状態で、これらが養生体２３内に一式内包され外気と遮断され密閉され養生されていることから、長期間に渡って巻上機１０を保護することができ、巻上機１０の性能劣化を抑制することができる。
【００３８】
そして、作業員は、例えば、機械室９の壁面や天井等が完成し、巻上機１０を使用可能な状態とする場合に、取外工程として、養生体２３を取り外す（ＳＴ７）。この場合、作業員は、養生シート２４を、マシンビーム１８と防振装置１９との間に挟み込まれている部分を残して切り離して、ユニット化された巻上機１０、ソラセシーブ１２、マシンベット１６、マシンビーム１７、１８、防振装置２１等から取り外すことで、マシンビーム１８から上側の部分を再度吊り上げることなく、作業性よく容易に養生体２３を取り外して開梱することができ、養生を解くことができる。そして、作業員は、残りの据え付け工事を行って、本実施形態の巻上機据付方法を終了する。
【００３９】
したがって、本実施形態の巻上機据付方法を用いることによって、現場での作業量を削減した上で、巻上機１０の長期不動期間対策として、巻上機１０、ソラセシーブ１２等を養生体２３内に一式内包して養生することができ、巻上機１０等の品質確保を比較的に容易に行うことができる。
【００４０】
以上で説明した実施形態に係る巻上機組立体２２によれば、エレベータ１の昇降体としての乗りかご３及びカウンタウェイト４に連結されるメインロープ５を巻き上げ可能な巻上機１０と、メインロープ５が巻き掛けられるソラセシーブ１２と、気密性を有し巻上機１０とソラセシーブ１２とを内包して内部と外部とを遮断し密閉する養生体２３とを備える。
【００４１】
以上で説明した実施形態に係る巻上機組立体製造方法によれば、エレベータ１の昇降体としての乗りかご３及びカウンタウェイト４に連結されるメインロープ５を巻き上げ可能な巻上機１０と、メインロープ５が巻き掛けられるソラセシーブ１２とを、気密性を有する養生体２３で内包する工程（ＳＴ２）と、巻上機１０を支持するマシンビーム１８と、マシンビーム１８に取り付けられる防振装置１９との間に養生体２３の一部を挟み込んでこの養生体２３の内部と外部とを遮断し密閉する工程（ＳＴ３）とを含む。
【００４２】
以上で説明した実施形態に係る巻上機養生方法によれば、エレベータ１の昇降体としての乗りかご３及びカウンタウェイト４に連結されるメインロープ５を巻き上げ可能な巻上機１０と、メインロープ５が巻き掛けられるソラセシーブ１２とを、気密性を有する養生体２３で内包してこの養生体２３の内部と外部とを遮断し密閉する。
【００４３】
以上で説明した実施形態に係る巻上機据付方法によれば、エレベータ１の昇降体としての乗りかご３及びカウンタウェイト４に連結されるメインロープを巻き上げ可能な巻上機１０と、メインロープ５が巻き掛けられるソラセシーブ１２とを、気密性を有する養生体２３で内包してこの養生体２３の内部と外部とを遮断して密閉して巻上機組立体２２とする養生工程（ＳＴ２、ＳＴ３）と、乗りかご３及びカウンタウェイト４が昇降可能な昇降路２の上部の機械室９まで巻上機組立体２２を揚重する揚重工程（ＳＴ５）と、機械室９内の据付位置に巻上機組立体２２を据え付ける据付工程（ＳＴ６）と、養生体２３を取り外す取外工程（ＳＴ７）とを含む。
【００４４】
したがって、巻上機組立体２２、巻上機組立体製造方法、巻上機養生方法及び巻上機据付方法は、巻上機１０、ソラセシーブ１２等がユニット化された状態で、これらが養生体２３内に一式内包され外気と遮断され密閉され養生されることから、長期間に渡って巻上機１０を保護することができ、巻上機１０の性能劣化を抑制することができる。
【００４５】
［実施形態２］
図７は、実施形態２に係る巻上機組立体を示す模式図、図８は、実施形態２に係る巻上機組立体のマシンビーム近傍の分解部分斜視図である。実施形態２に係る巻上機組立体、巻上機組立体製造方法、巻上機養生方法及び巻上機据付方法は、養生体の構成が実施形態１とは異なる。その他、上述した実施形態と共通する構成、作用、効果については、重複した説明はできるだけ省略する（以下で説明する実施形態でも同様である。）。  
【００４６】
本実施形態の巻上機組立体２２２は、図７に示すように、巻上機１０、ソラセシーブ１２、マシンベット１６、マシンビーム１７、１８、防振装置１９、２１、吸湿剤３０等と共に、養生体２２３を備える。
【００４７】
本実施形態の養生体２２３は、養生シート２２４と、養生床２３１とを含んで構成される。養生シート２２４は、気密性を有する袋状の防水シート等によって構成される。養生シート２２４は、巻上機１０を含め、組み上げられた巻上機１０、ソラセシーブ１２、マシンベット１６、マシンビーム１７、１８、防振装置２１の全体の鉛直方向上側、及び、側面をまとめて覆う形状、大きさに形成される。
【００４８】
一方、養生床２３１は、矩形状の鋼板等によって構成される。養生床２３１は、巻上機１０の鉛直方向下側、ここでは、マシンビーム１８の鉛直方向下側に設けられ、組み上げられた巻上機１０、ソラセシーブ１２、マシンベット１６、マシンビーム１７、１８、防振装置２１の全体の鉛直方向下側をまとめて覆う形状、大きさに形成される。
【００４９】
養生体２２３は、開閉可能な開閉部２２５を有する。本実施形態の養生体２２３は、養生シート２２４に気密ファスナ２６（図４参照）が設けられておらず、これにかえて、養生床２３１に開閉部２２５として点検ハッチ２３２が設けられている。点検ハッチ２３２は、養生床２３１の一部に、所定の大きさ、例えば、４５０ｍｍ×５０ｍｍ程度の矩形状に構成される。養生床２３１は、作業員等によって点検ハッチ２３２が開閉されることで、この点検ハッチ２３２にて開閉可能である。
【００５０】
養生体２２３は、一部がマシンビーム１８に取り付けられる据付部材としての防振装置１９と、マシンビーム１８との間に挟み込まれる。ここでは、養生床２３１は、図８に示すように、複数の孔２２７が形成されている。複数の孔２２７は、マシンビーム１８、防振装置１９にそれぞれ形成される孔２８、２９と対応する位置、数で形成される。
【００５１】
巻上機組立体２２２は、養生床２３１の一部がマシンビーム１８と防振装置１９とに挟み込まれた状態で、ボルトが孔２８、２９、２２７に挿入されナットと螺合することで、マシンビーム１８と防振装置１９とが締結される。
【００５２】
養生床２３１は、縁部を囲うように矩形状の枠状部２３３が設けられる。養生シート２４は、一部が枠状部２３３と、この枠状部２３３に取り付けられる複数の押さ板２３４との間に挟み込まれる。枠状部２３３は、複数の孔２３５が設けられる。複数の孔２３５は、枠状部２３３に沿ってほぼ等間隔に複数設けられる。また、養生シート２２４は、端部近傍に複数の孔２３６が形成されている。複数の孔２３６は、枠状部２３３に形成される孔２３５と対応する位置、数で形成される。押さ板２３４は、棒状の鋼板にとって構成される。押さ板２３４は、複数、ここでは、枠状部２３３の各辺に対応して４本が設けられる（図８中では、そのうちの２本を図示している）。各押さ板２３４は、複数の孔２３７が設けられる。複数の孔２３７は、各押さ板２３４に沿ってほぼ等間隔に複数設けられる。複数の孔２３７は、枠状部２３３に形成される孔２３５、養生シート２２４に形成される孔２３６と対応する位置、数で形成される。
【００５３】
巻上機組立体２２２は、養生シート２２４の一部が養生床２３１の枠状部２３３と各押さ板２３４とに挟み込まれた状態で、ボルトが孔２３５、２３６、２３７に挿入されナットと螺合することで、枠状部２３３と各押さ板２３４とが締結される。なお、巻上機組立体２２２は、例えば、さらに、枠状部２３３と各押さ板２３４との間にシール部材を設けても良いし、養生シート２２４の端部に密閉テープを設けてもよい。
【００５４】
上記のように構成される巻上機組立体２２２は、養生体２２３をなす養生床２３１の一部が防振装置１９とマシンビーム１８との間に挟み込まれて組み立てられると共に、養生シート２２４の一部が養生床２３１の枠状部２３３と各押さ板２３４とに挟み込まれることで、確実に養生体２２３内部の密閉性を確保することができる。この結果、巻上機組立体２２２は、例えば、エレベータ１の据付時等に、巻上機１０が未完成の機械室９に据え付けられた後、高所で長期間露天にさらされるような場合であっても、長期間に渡って巻上機１０を保護することができ、巻上機１０の性能劣化を抑制することができる。
【００５５】
また、本実施形態の巻上機組立体２２２は、養生床２３１に開閉部２２５として点検ハッチ２３２が設けられることから、この点検ハッチ２３２を介して作業員が内部にアクセス可能とすることができる。この結果、巻上機組立体２２２は、吸湿剤３０の交換時等の作業性を向上することができる。
【００５６】
そして、本実施形態の巻上機据付方法（巻上機組立体製造方法、巻上機養生方法）は、上記で説明した巻上機組立体２２２を適用して行われる。この場合は、作業員は、取外工程（ＳＴ７、図６参照）では、各押さ板２３４を外して養生シート２２４を取り外すと共に、マシンビーム１８から上側の部分を一旦吊り上げてから、養生床２３１を取り外して、防振装置１９を基礎部２０に再度締結することとなる。
【００５７】
以上で説明した実施形態に係る巻上機組立体２２２、巻上機組立体製造方法、巻上機養生方法及び巻上機据付方法によれは、巻上機１０、ソラセシーブ１２等がユニット化された状態で、これらが養生体２２３内に一式内包され外気と遮断され密閉され養生されることから、長期間に渡って巻上機１０を保護することができ、巻上機１０の性能劣化を抑制することができる。そして、本実施形態の養生体２２３は、巻上機１０の鉛直方向下側に設けられ、開閉部２２５として点検ハッチ２３２が設けられた養生床２３１と、養生床２３１に設けられ巻上機１０及びソラセシーブ１２等を覆う養生シート２２４とを含んで構成される。この場合であっても、巻上機組立体２２２は、確実に養生体２２３内部の密閉性を確保することができる。
【００５８】
［実施形態３］
図９は、実施形態３に係る巻上機組立体を示す模式図、図１０は、実施形態３に係る養生体の取り外し後の巻上機を示す模式図である。実施形態３に係る巻上機組立体、巻上機組立体製造方法、巻上機養生方法及び巻上機据付方法は、養生床の構成が実施形態２とは異なる。
【００５９】
本実施形態の巻上機組立体３２２は、図９に示すように、巻上機１０、ソラセシーブ１２、マシンベット１６、マシンビーム１７、１８、防振装置１９、２１、吸湿剤３０等と共に、養生体２２３を備える。養生体２２３は、養生シート２２４と、養生床３３１とを含んで構成される。
【００６０】
養生床３３１は、矩形状の鋼板等によって構成される。養生床３３１は、巻上機１０の鉛直方向下側、ここでは、マシンビーム１８の鉛直方向下側に設けられ、組み上げられた巻上機１０、ソラセシーブ１２、マシンベット１６、マシンビーム１７、１８、防振装置２１の全体の鉛直方向下側をまとめて覆う形状、大きさに形成される。
【００６１】
そして、本実施形態の養生床３３１は、複数に分割可能である。ここでは、養生床３３１は、２つの端部床３３１ａ及び端部床３３１ｂと、本体床３３１ｃとに分割されて構成される。端部床３３１ａ及び端部床３３１ｂは、それぞれ図８で説明した複数の孔２２７が形成されている。また、端部床３３１ａ及び端部床３３１ｂは、それぞれ枠状部２３３の分割された一部が設けられる。本体床３３１ｃは、開閉部２２５として点検ハッチ２３２が設けられる。
【００６２】
そして、養生床３３１は、本体床３３１ｃの幅方向両側にそれぞれ端部床３３１ａと端部床３３１ｂとが配置される。養生床３３１は、端部床３３１ａと本体床３３１ｃとが連結部３３１ｄにてボルト等を介して締結され、端部床３３１ｂと本体床３３１ｃとが連結部３３１ｅにてボルト等を介して締結され、全体が一体化されている。
【００６３】
そして、巻上機組立体３２２は、一体化された養生床３３１の端部床３３１ａ、端部床３３１ｂがマシンビーム１８と防振装置１９とに挟み込まれた状態で、ボルトが孔２８、２９、２２７に挿入されナットと螺合することで、マシンビーム１８と防振装置１９とが締結される。また、巻上機組立体２２２は、養生シート２２４の一部が養生床３３１の枠状部２３３と各押さ板２３４とに挟み込まれた状態で、ボルトが孔２３５、２３６、２３７に挿入されナットと螺合することで、枠状部２３３と各押さ板２３４とが締結される。
【００６４】
上記のように構成される巻上機組立体３２２は、養生体２２３をなす養生床３３１の一部が防振装置１９とマシンビーム１８との間に挟み込まれて組み立てられると共に、養生シート２２４の一部が養生床３３１の枠状部２３３と各押さ板２３４とに挟み込まれることで、確実に養生体２２３内部の密閉性を確保することができる。この結果、巻上機組立体３２２は、例えば、エレベータ１の据付時等に、巻上機１０が未完成の機械室９に据え付けられた後、高所で長期間露天にさらされるような場合であっても、長期間に渡って巻上機１０を保護することができ、巻上機１０の性能劣化を抑制することができる。
【００６５】
また、本実施形態の巻上機組立体３２２は、養生床３３１に開閉部２２５として点検ハッチ２３２が設けられることから、この点検ハッチ２３２を介して作業員が内部にアクセス可能とすることができる。この結果、巻上機組立体２２２は、吸湿剤３０の交換時等の作業性を向上することができる。
【００６６】
そして、本実施形態の巻上機据付方法（巻上機組立体製造方法、巻上機養生方法）は、上記で説明した巻上機組立体３２２を適用して行われる。この場合は、作業員は、取外工程（ＳＴ７、図６参照）では、各押さ板２３４を外して養生シート２２４を取り外すと共に、連結部３３１ｄ、３３１ｅのボルト等を外して、端部床３３１ａと本体床３３１ｃとの連結、端部床３３１ｂと本体床３３１ｃとの連結を解除して分解する。そして、作業員は、図１０に示すように、マシンビーム１８と防振装置１９との間に挟み込まれている端部床３３１ａ、端部床３３１ｂを残して本体床３３１ｃを取り外すことで、マシンビーム１８から上側の部分を再度吊り上げることなく、作業性よく容易に養生体２２３を取り外して開梱することができ、養生を解くことができる。
【００６７】
以上で説明した実施形態に係る巻上機組立体３２２、巻上機組立体製造方法、巻上機養生方法及び巻上機据付方法によれは、巻上機１０、ソラセシーブ１２等がユニット化された状態で、これらが養生体２２３内に一式内包され外気と遮断され密閉され養生されることから、長期間に渡って巻上機１０を保護することができ、巻上機１０の性能劣化を抑制することができる。そして、本実施形態の養生体２２３は、巻上機１０の鉛直方向下側に設けられ、開閉部２２５として点検ハッチ２３２が設けられた養生床３３１と、養生床３３１に設けられ巻上機１０及びソラセシーブ１２等を覆う養生シート２２４とを含んで構成され、養生床３３１は、複数に分割可能である。この場合、巻上機組立体３２２は、確実に養生体２２３内部の密閉性を確保することができると共に、作業性よく容易に養生体２２３を取り外して開梱することができ、巻上機１０の不動期間終了後に巻上機１０を使用可能な状態に復帰させやすくすることができる。
【００６８】
［実施形態４］
図１１は、実施形態４に係る巻上機組立体を示す模式図である。実施形態４に係る巻上機組立体、巻上機組立体製造方法、巻上機養生方法及び巻上機据付方法は、開閉部の構成が実施形態１とは異なる。
【００６９】
本実施形態の巻上機組立体４２２は、図１１に示すように、巻上機１０、ソラセシーブ１２、マシンベット１６、マシンビーム１７、１８、防振装置１９、２１、吸湿剤３０等と共に、養生体２３を備える。
【００７０】
本実施形態の養生体２３は、養生シート４２４を含んで構成される。養生シート４２４は、気密性を有する袋状の防水シート等によって構成される。養生シート４２４は、巻上機１０を含め、組み上げられた巻上機１０、ソラセシーブ１２、マシンベット１６、マシンビーム１７、１８、防振装置２１の全体の鉛直方向上側、鉛直方向下側、及び、側面をまとめて覆う形状、大きさに形成される。
【００７１】
養生体２３は、開閉可能な開閉部４２５を有する。本実施形態の養生体２３は、養生シート４２４に開閉部４２５として気密ファスナ４２６が設けられる。気密ファスナ４２６は、養生シート４２４の側面の全周にわたって連続して形成される。典型的には、気密ファスナ４２６は、水平方向に沿って形成される。養生シート４２４は、作業員等によって気密ファスナ４２６が開閉されることで、この気密ファスナ４２６にて上下に開閉可能である。そしてさらに、この養生シート４２４は、気密ファスナ４２６にて上側シート４２４ａと下側シート４２４ｂとに分割可能である。言い換えれば、この養生シート４２４は、袋状の上側シート４２４ａの開口と、同じく袋状の下側シート４２４ｂの開口とを向かい合わせにし、上側シート４２４ａの開口と下側シート４２４ｂの開口と気密ファスナ４２６にて接合することで構成される。下側シート４２４ｂは、図５で説明した孔２７が設けられる。
【００７２】
上記のように構成される巻上機組立体４２２は、養生体２３をなす養生シート４２４の一部が防振装置１９とマシンビーム１８との間に挟み込まれて組み立てられることで、確実に養生体２３内部の密閉性を確保することができる。この結果、巻上機組立体４２２は、例えば、エレベータ１の据付時等に、巻上機１０が未完成の機械室９に据え付けられた後、高所で長期間露天にさらされるような場合であっても、長期間に渡って巻上機１０を保護することができ、巻上機１０の性能劣化を抑制することができる。
【００７３】
また、本実施形態の巻上機組立体４２２は、養生シート４２４に開閉部４２５として気密ファスナ４２６が設けられることから、この気密ファスナ４２６を介して作業員が内部にアクセス可能とすることができる。この結果、巻上機組立体４２２は、吸湿剤３０の交換時等の作業性を向上することができる。
【００７４】
そして、本実施形態の巻上機据付方法（巻上機組立体製造方法、巻上機養生方法）は、上記で説明した巻上機組立体４２２を適用して行われる。この場合、本実施形態の巻上機組立体４２２は、養生シート４２４が気密ファスナ４２６にて上側シート４２４ａと下側シート４２４ｂとに分割可能であることから、先に下側シート４２４ｂを防振装置１９とマシンビーム１８との間に挟み込んで組み立てた後に、気密ファスナ４２６を介して下側シート４２４ｂの開口に上側シート４２４ａの開口を接合することで養生シート４２４を構成することができる。この結果、巻上機組立体４２２は、養生シート４２４を組み付ける際の作業性を向上することができ、例えば、組み付け時に養生シート４２４に損傷が生じることを抑制することができると共に、仮に上側シート４２４ａが損傷した場合には、容易にこの上側シート４２４ａを新規のものに交換することができる。また、巻上機組立体４２２は、上側シート４２４ａを再利用することも可能である。
【００７５】
以上で説明した実施形態に係る巻上機組立体４２２、巻上機組立体製造方法、巻上機養生方法及び巻上機据付方法によれは、巻上機１０、ソラセシーブ１２等がユニット化された状態で、これらが養生体２３内に一式内包され外気と遮断され密閉され養生されることから、長期間に渡って巻上機１０を保護することができ、巻上機１０の性能劣化を抑制することができる。そして、本実施形態の養生体２３は、開閉部４２５として気密ファスナ４２６が設けられ養生シート４２４を含んで構成され、気密ファスナ４２６は、水平方向に沿って形成され、養生シート４２４は、気密ファスナ４２６にて上側シート４２４ａと下側シート４２４ｂとに分割可能である。この場合、巻上機組立体４２２は、確実に養生体２３内部の密閉性を確保することができると共に、養生シート４２４を組み付ける際の作業性を向上することができる。
【００７６】
［実施形態５］
図１２は、実施形態５に係る巻上機組立体を示す模式図である。実施形態５に係る巻上機組立体、巻上機組立体製造方法、巻上機養生方法及び巻上機据付方法は、巻上機組立体が温度調節装置を備える点で実施形態３とは異なる。
【００７７】
本実施形態の巻上機組立体５２２は、図１２に示すように、巻上機１０、ソラセシーブ１２、マシンベット１６、マシンビーム１７、１８、防振装置１９、２１、吸湿剤３０，養生体２２３等と共に、温度調節装置としての電球５３８を備える。
【００７８】
電球５３８は、養生体２２３の内部に設けられこの養生体２２３の内部の温度を調節するものである。電球５３８は、点灯状態とされることで発熱し、これにより、養生体２２３の密閉された内部空間の温度をほぼ一定に保持することができる。そして、本実施形態の巻上機据付方法（巻上機組立体製造方法、巻上機養生方法）は、上記で説明した巻上機組立体５２２を適用して行われる。
【００７９】
この結果、巻上機組立体５２２は、養生体２２３の内部に電球５３８が設けられることで、養生体２２３の密閉された内部空間の温度をほぼ一定に保持することができることから、例えば、外部環境の変化に応じた寒暖差による結露の発生を抑制することができる。これにより、巻上機組立体５２２は、結露等から巻上機１０を保護することができ、巻上機１０等の各部に錆、絶縁不良、性能劣化等が発生することを確実に抑制することができる。
【００８０】
以上で説明した実施形態に係る巻上機組立体５２２、巻上機組立体製造方法、巻上機養生方法及び巻上機据付方法によれは、巻上機１０、ソラセシーブ１２等がユニット化された状態で、これらが養生体２２３内に一式内包され外気と遮断され密閉され養生されることから、長期間に渡って巻上機１０を保護することができ、巻上機１０の性能劣化を抑制することができる。そして、本実施形態の巻上機組立体５２２は、養生体２２３の内部に設けられ内部の温度を調節する電球５３８を備える。この場合、巻上機組立体５２２は、確実に養生体２２３内部の密閉性を確保することができると共に、結露の発生を抑制することもでき、巻上機１０等の各部に錆、絶縁不良、性能劣化等が発生することをより確実に抑制することができる。
【００８１】
なお、上述した実施形態に係る巻上機組立体、巻上機組立体製造方法、巻上機養生方法及び巻上機据付方法は、上述した実施形態に限定されず、特許請求の範囲に記載された範囲で種々の変更が可能である。本実施形態に係る巻上機組立体、巻上機組立体製造方法、巻上機養生方法及び巻上機据付方法は、以上で説明した実施形態を複数組み合わせることで構成してもよい。
【００８２】
以上で説明した巻上機組立体は、長期不動期間対策としてだけではなく、例えば、輸送時対策として適用されてもよい。この場合、巻上機組立体は、輸送等における外部環境の変化に対しても、長期間に渡って巻上機１０を保護することができ、巻上機１０の性能劣化を抑制することができ、巻上機１０の引渡し品質を確保することができる。
【００８３】
以上で説明した温度調節装置は、電球５３８であるものとして説明したが、これに限らず、例えば、ヒータ等の発熱体であってもよい。
【００８４】
以上で説明した実施形態、変形例に係る巻上機組立体、巻上機組立体製造方法、巻上機養生方法及び巻上機据付方法によれば、長期間に渡って巻上機を保護することができ、巻上機の性能劣化を抑制することができる。
【００８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１    エレベータ
２    昇降路
３    乗りかご（昇降体）
４    カウンタウェイト（昇降体）
５    メインロープ（ロープ）
９    機械室
１０    巻上機
１１    メインシーブ
１２    ソラセシーブ
１３    電動機
１６    マシンベット
１７、１８    マシンビーム
１９    防振装置（据付部材）
２０    基礎部
２１    防振装置
２２、２２２、３２２、４２２、５２２    巻上機組立体
２３、２２３    養生体
２４、２２４、４２４    養生シート
２５、２２５、４２５    開閉部
２６、４２６    気密ファスナ
３０    吸湿剤
２３１、３３１    養生床
２３２    点検ハッチ（ハッチ）
２３３    枠状部
２３４    押え板
３３１ａ、３３１ｂ    端部床
３３１ｃ    本体床
３３１ｄ、３３１ｅ    連結部
４２４ａ    上側シート
４２４ｂ    下側シート
５３８    電球（温度調節装置）
【図１】
0005780832.tif 000002
【図２】
0005780832.tif 000003
【図３】
0005780832.tif 000004
【図４】
0005780832.tif 000005
【図５】
0005780832.tif 000006
【図６】
0005780832.tif 000007
【図７】
0005780832.tif 000008
【図８】
0005780832.tif 000009
【図９】
0005780832.tif 000010
【図１０】
0005780832.tif 000011
【図１１】
0005780832.tif 000012
【図１２】
0005780832.tif 000013